【事件の表示】
　特願２００４−　１３６１５「移動体通信端末、サーバ装置及び移動体通信システム」拒絶査定不服審判事件〔平成１７年　８月　４日出願公開、特開２００５−２１０３２２〕について、次のとおり審決する。
【結　論】
　本件審判の請求は、成り立たない。
【理　由】
１．手続の経緯
　本願は、平成１６年１月２１日の出願であって、平成２０年８月４日付けで拒絶査定がなされ、これに対し、平成２０年９月８日に拒絶査定に対する審判請求がなされ、当審において平成２２年８月１６日付けで拒絶理由通知がなされ、平成２２年１０月１８日付けで手続補正がなされたものである。
　
２．本願発明
　本願の請求項１に係る発明（以下、「本願発明」という。）は、平成２２年１０月１８日付け手続補正書により補正された請求項１に記載された以下のとおりのものである。
　「操作手段と、
　外壁部を構成するケーシングと、
　画像データを記憶する記憶手段と、
　該ケーシングにおける外部に露出した部分の一部に、画像の表示状態を無給電状態では維持不可能な給電画像表示手段とを備えた移動体通信端末において、
　上記記憶手段に記憶された画像データに基づく画像の表示状態を無給電状態でも維持可能な無給電画像表示手段を、上記ケーシングにおける外部に露出した部分であって上記給電画像表示手段の周囲に備え、
　上記給電画像表示手段に表示される画像の第１画像データを外部記憶媒体から取得するとともに、該第１画像データを取得する際に該外部記憶媒体又は他の外部記憶媒体から、該第１画像データに関連付けられた、上記無給電画像表示手段に表示される画像の第２画像データを取得し、該第２画像データを上記第１画像データに関連付けられた状態で該記憶手段に保存する画像データ取得保存手段を有し、
　上記操作手段が第１画像データに基づく画像の表示指示操作を受け付けたとき、該第１画像データに基づく画像を上記給電画像表示手段に表示させるとともに、該記憶手段から該第１画像データに関連付けられた第２画像データを読み出し、該第２画像データに基づく画像を該無給電画像表示手段に表示する制御を行う制御手段を有することを特徴とする移動体通信端末。」
　　
３．引用発明
　当審で通知した拒絶理由に引用された特開２００１−８６２１３号公報（以下、「引用例１」という。）には、図面とともに以下の記載がある。
　
　ア．「【請求項１】  少なくとも１つの制御信号によって、少なくとも部分的に変更可能な色を持つ材料を用いて、少なくとも部分的にカバー( １) が形成あるいは被覆されることを特徴とする電子装置のカバー。
【請求項２】  前記材料が荷電粒子( ３) を含む電子インク( ５) であり、そして、前記カバーと関連して、前記制御信号を前記電子インク( ５) へ通電する導体( ４ａ、４ｂ) が存在し、ここに、前記カバーの色の変化が達成されるように前記電子インク中の粒子の位置が変更可能に構成されることを特徴とする請求項１に記載の電子装置のカバー。
【請求項３】  前記電子インク( ５) が正に荷電した粒子( ３ａ) と負に荷電した粒子( ３ｂ) とを有し、少なくとも正に荷電した粒子の一部が、負に荷電した粒子とは異なる色をしていることを特徴とする請求項２に記載の電子装置のカバー。
【請求項４】  前記電子インク( ５) が荷電粒子( ３) と着色液体( １０)とを有し、少なくとも前記荷電粒子の一部が前記着色液体の色とは異なることを特徴とする請求項２に記載の電子装置のカバー。
【請求項５】  前記電子インクがマイクロカプセルを含み、前記粒子( ３)が前記マイクロカプセル内に入れられることを特徴とする請求項２〜４のいずれか一項に記載の電子装置のカバー。
【請求項６】  ディスプレイ( ９) として機能するように前記カバー( １)の表面に固定の区分が設けられることを特徴とする電子装置のカバー。
【請求項７】  制御信号によって少なくとも部分的に変更可能な色を持つ材料を用いて、少なくとも部分的に形成あるいは被覆されるカバー( １) を有することを特徴とする電子装置。
【請求項８】  前記電子装置が無線通信装置( ７) であることを特徴とする請求項７に記載の電子装置。
【請求項９】  カバー( １) の色を繰り返し変更する可能性が与えられていることを特徴とする無線通信装置。
【請求項１０】  前記カバー( １) の表面に様々な表面模様を生成する１グループの表面模様情報と、前記グループの表面模様情報からカバー( １) の表面模様( ８) を選択する手段( １１) と、前記選択された表面模様に適合させるための前記カバーの色の変更手段( ４ａ、４ｂ、Ｖ) と、を備えていることを特徴とする請求項９に記載の無線通信装置。」（２頁１欄）
　
　イ．「【請求項１７】  少なくとも１つのサービス・プロバイダのデータ・プロセッサとのデータ伝送接続を確立する手段を有する無線通信装置( ７) において、前記データ・プロセッサから前記無線通信装置へ前記データ伝送接続を介して表面模様情報を転送する手段を有することを特徴とする請求項１０〜１６のいずれか一項に記載の無線通信装置。
【請求項１８】  表面模様情報を送信する前記手段が、テキスト・メッセージを定型化して前記データ・プロセッサへ送信する手段を有し、送信すべく選択された前記表面模様情報に関する情報を前記テキスト・メッセージが含むことを特徴とする請求項１７に記載の無線通信装置。」（２頁２欄）
　
　ウ．「【０００１】
【発明の属する技術分野】本発明は請求項１の前文に記載の電子装置用カバーに関する。さらに、請求項７の前文に記載の電子装置ならびに請求項２２の前文に記載の無線通信装置に関する。
【０００２】
【従来の技術】ユーザーは、自分の電子装置の外観を変えたいと望む場合、所望の新しい種類のカバーを購入し、例えば、家庭用電気製品の販売店などで新しいカバーに取り替えてもらわなければならない。したがって、ユーザーには、カバーの購入代金とカバーを取り替えてもらう割り増し費用の負担とが生じる。さらに、ユーザーにとって古いカバーは不要になることが多い。一方、現在、例えば、視野角または光入射角が無線通信装置のカバーに対して変化するとき、その色がわずかに変化するように見える無線通信装置用カバーなどが存在する。しかしながら、このようなカバーの色を制御可能に変えることは不可能である。」（３頁３欄）
　
　エ．「【０００９】
【発明の実施の形態】以下に本発明について添付図面を参照しながらさらに詳細に説明する。これらの図面には、制御信号によって色の変更が可能なカバーを備えた、本発明の好ましい実施例による無線通信装置が示されている。
【００１０】所望の色に変更したいカバーの一部の製造と被覆を行うために、電気的制御信号または電磁気制御信号による影響の結果としてその色が変わる材料を用いて、制御信号によって色が変わる電子装置７用のカバー１が好適に作られる。このような材料としては、例えば電子装置の従来型のカバー６に被覆される電子インク( Ｅ−ＩＮＫ) ５などがある。
【００１１】このような電子インクの１つの例として、一般に、マイクロカプセル２の内部に正または負に荷電した粒子３が含まれ、正と負に荷電した粒子３が様々な色を持つように成される。導体４ａと４ｂを介してマイクロカプセル２の中へ電気制御信号Ｖを通電することにより、例えば負に荷電した粒子３ｂをカプセルの上部へ移動させ、正に荷電した粒子３ａを下部へ移動させることが可能である。このようにして、表面に生成された色は負に荷電した粒子３ｂの色となり、正に荷電した粒子３ａの色は、負に荷電した粒子を通すために表面にはほとんど現れない。一般に、制御信号によって再び変更されるまで、制御信号によってセットされた粒子の状態がそのまま保持されるのが電子インクの特性である。すなわち粒子の状態を変化させる行為だけがエネルギーを必要とする。」（３頁４欄〜４頁５欄）
　
　オ．「【００１４】さて、本発明の目的は、装置の電力消費量をできるだけ少なくして電子装置７の作動時間を可能な限り長くすることである。この目的のために、セットされた色を維持するだけであればエネルギーが消費されることはないので、電子インクによって実現される解決策は電力消費を考慮する場合好適である。電子装置７のカバー１の色を変える行為だけがエネルギーを必要とする。」（４頁５欄）
　
　カ．「【００２０】無線通信装置７のカバー１全体またはその一部の色を一度に変更することが可能である。無線通信装置のメニューから、ユーザーはカバー表面のいくつかの完全な模様８の選択肢の中から所望の模様を選択することができる。ユーザーは、例えば様々な呼出し音などの検索を行うことができるのと同様の方法で、サービス・プロバイダから所望の模様の検索を行うことができる。ユーザーは、サービス・プロバイダのインターネットのページから所望の模様を検索する。サービス・プロバイダへ、好ましくはテキスト・メッセージで、要求を送信することにより所望の模様が検索され、所望の模様を設けるのに必要な情報が例えば、テキスト・メッセージで模様を要求する無線通信装置へと送信される。所望の模様を設けるのに必要な情報はＷＡＰ(Wireless Application Protocol：無線用アプリケーション・プロトコル) によってサービス・プロバイダから検索を行うことも可能である。その後、ユーザーは通信装置のメモリに受信情報を保存し、所望の模様を実現することができる。ＷＡＰはプロトコルのグループ用の仕様である。ＷＡＰは、移動電話のような無線通信装置とインターネットとの接続を標準化するために用いられる。
【００２１】カバー１の表面に様々な模様８を形成できるようにするためには、小さい区分にて無線通信装置７のカバーの色の変更を行うことが可能でなければならない。これは例えば電子インク５の下の導電層４ａをマトリックスとして形成するような方法で実現することができる。このようにして、１つのマイクロカプセルまたは小グループのマイクロカプセルを一度に制御する制御信号を利用することが可能である。制御信号によって個々に制御可能なこれらの狭いエリアから所望の模様を形成することができる。」（５頁７欄）
　
　キ．「【００３０】無線通信装置のカバーの上部にコンピュータで使用されるディスプレイエレメントと同様のエレメントを設けることにより、制御信号によって色を変えることができる無線通信装置７のカバー１を実現することもできる。それによって無線通信装置のカバーは、携帯用コンピュータのディスプレイと同様の方法で外観の制御を行うことができる平面ディスプレイとして機能する。現在、薄型高解像度カラーディスプレイを製造するいくつかの公知の技術が存在するが、これらの技術は被覆表面とに適合させることが可能である。そのような技術の１つとしてＬＥＰ(Light Emitting Polymers：発光ポリマー) がある。
【００３１】制御信号によって色を変えることができる電子装置７のカバー１は、ＲＤＳ(Radio Data System：無線データ・システム) や別の相当するシステムを有する無線に好適に適用することができる。したがって無線装置は、例えば無線伝送に関連する制御コマンドなどを得ることができる。このようにして、例えば音楽やニュースやスポーツなどが放送されているとき、無線装置のカバーの色が変わるようにすることも可能となる。」（６頁１０欄）
　　
　引用例１の摘記事項エ及び図１を参照すると、電子装置の従来型のカバー６の表面に、電子インクを用いたカバー１を形成して、カバーの色を変更可能とすることが記載されている。
　そして、電子インクを用いた表示は、その表示を変化させるときだけエネルギーを必要とするものであることが記載されており、画像の表示状態を無給電状態でも維持可能なものであるといえる。
　したがって、引用例１には、画像の表示状態を無給電状態でも維持可能な電子インクを用いたカバー１を、従来型のカバー６における外部に露出した部分に設けることが示されている。
　また、図３を参照すると、ディスプレイ９、キーボード１１を備える無線通信装置７において、ディスプレイ９の周囲にカバー１を設けて、カバー１に模様を表示することが把握できる。
　無線通信装置７のディスプレイ９は、通常液晶表示装置等が用いられており、画像の表示状態を無給電状態では維持不可能なものであるといえる。
　したがって、引用例１の無線通信装置７は、従来型のカバー６における外部に露出した部分の一部に、画像の表示状態を無給電状態では維持不可能なディスプレイ９を備えるものである。
　引用例１の【請求項１０】には、「前記カバー( １) の表面に様々な表面模様を生成する１グループの表面模様情報と、前記グループの表面模様情報からカバー( １) の表面模様( ８) を選択する手段( １１) と、前記選択された表面模様に適合させるための前記カバーの色の変更手段( ４ａ、４ｂ、Ｖ) と、を備えていることを特徴とする請求項９に記載の無線通信装置」と記載されており、【請求項１７】には、「少なくとも１つのサービス・プロバイダのデータ・プロセッサとのデータ伝送接続を確立する手段を有する無線通信装置( ７) において、前記データ・プロセッサから前記無線通信装置へ前記データ伝送接続を介して表面模様情報を転送する手段を有することを特徴とする請求項１０〜１６のいずれか一項に記載の無線通信装置。」と記載されている。
　したがって、無線通信装置７は、サービスプロバイダのデータ・プロセッサから、カバー１に表示される表面模様情報を取得する手段を有するものであるといえる。
　また、取得された表面模様情報は、キーボード１１を操作することにより選択されるものであるから、無線通信装置７は、表面模様情報を記憶する記憶手段、及び取得した表面模様情報を記憶手段に保存する手段を有するものであることは技術的に自明である。
　そして、引用例１の摘記事項カ及び図３を参照すると、所望の模様がカバー１に表示されるものであるから、無線通信装置７は、記憶手段から表面模様情報を読み出し、該表面模様情報に基づく画像を電子インクを用いたカバー１に表示する制御を行う手段を有することは技術的に自明である。
　
　したがって、引用例１には、技術常識を考慮すると、
　「キーボード１１と、
　従来型のカバー６と、
　表面模様情報を記憶する記憶手段と、
従来型のカバー６における外部に露出した部分の一部に、画像の表示状態を無給電状態では維持不可能なディスプレイ９とを備えた無線通信装置７において、
　上記記憶手段に記憶された表面模様情報に基づく画像の表示状態を無給電状態でも維持可能な電子インクを用いたカバー１を、上記従来型のカバー６における外部に露出した部分であって上記ディスプレイ９の周囲に備え、
　サービス・プロバイダのデータ・プロセッサから、上記電子インクを用いたカバー１に表示される表面模様情報を取得し、該表面模様情報を該記憶手段に保存する手段を有し、
　キーボード１１を操作することにより、所望の表面模様情報を選択し、該記憶手段から表面模様情報を読み出し、該表面模様情報に基づく画像を電子インクを用いたカバー１に表示する制御を行う手段を有する無線通信装置７。」
の発明（以下、「引用発明１」という。）が開示されていると認めることができる。
　
　また、当審で通知した拒絶理由に引用された「荒井孝之、ｉ ＭＯＤＥ ｆａｎ Ｓｐｅｃｉａｌ Ａｄｄｉｔｉｏｎ Ｐ５０４ｉＳ便利機能操作マニュアル、ｉＭＯＤＥ ＦａＮ １２／２０号、（株）毎日コミュニケーションズ 、２００２年１２月２０日発行、ＰＣｆａｎ別冊 第９巻 第３５号、２２〜３３頁」（以下、「引用例２」という。）には、図面とともに以下の記載がある。
　
　ク．「ｉアプリで遊ぼう
５０４シリーズでは、５０３に比べると飛躍的に遊びやすくなったｉアプリ。もちろんその操作性はこのｉＳにも受け継がれている。ダウンロードのスピードがグーン！とアップしたので、ストレスもぐっと軽減。ここではＰ５０４ｉＳでのｉアプリの使い方を、基本からおさらいしていこう。」（２２頁）
　
　ケ．「ｉアプリの起動方法
　何ごとも基本が大切です
　まずはオーソドックスな起動方法から。メニュー画面から右上のｉアプリを選ぶ。すると「ソフトー覧」が表示される。最初は内蔵ソフトだけだが、後から好みのものをダウンロードすると、それもこの一覧の中に入り、表示されるようになる。」（２２頁）
　
　コ．「内蔵ｉアプリで遊ぶ（４）：ヴァニラの占いまちうけ２
　起き抜けソフトの定番、キュートな占い！
　一日を占いから始めたい……そんな人もけっこういるのでは！？　そんな占いフリークのために、このＰ５０４ｉＳでは、前機種で人気の高かった占いソフトをヴァージョンアップ、「ヴァニラの占いまちうけ２」として搭載。自分の名前、性別、星座を入力しておけば、カンタンにその日の運勢を占うことができる。時間を設定しておけば、毎日決まって占いを届けてくれる機能も搭載。
　トップ画面。前機種では目を開けていたが今回は閉じてます
　まずはプロフィール入力。名前を書き込み、性別＆星座を選ぶ
　占いが始まる。かわいらしく動きながら占ってくれてます
　全体運の後は、恋愛運、健康運、金運、ランキングが登場
　「お告げ」の後、ラッキーポイントやカラー、ナンバーがわかる
　背面ディスプレイにもキュートなキャラクターが登場！」（２４頁右欄）
　
　サ．「待受画面を楽しむ
　ケータイの数ある機能の中でも、常に人気のある待受画面機能。Ｐ５０４ｉＳにカメラが付いたことで、撮りたてほやほやの写真を待受画面にすることもできるようになった。もちろん今まで通り、ダウンロードした画像を待受画面にすることもできる。ケータイ使う以上、待受画面の設定は必須項目なのだ。」（２８頁）
　
　シ．「待受画面を変更する：メイン
　キュートな内蔵画面も捨てがたいが・・
　待受画面にできるのは、「イラスト」「時計」「イラスト＋時計」「カレンダー」の４種類。Ｐ５０４ｉＳには、固定画面（花の写真）１件のほか、８件の「イラスト」（静止画像６件、アニメ２件）が登録されている。自分で撮った写真やダウンロード画像を待受に使いたい時は、固定画面以外の８件の「イラスト」に上書きして登録しておく。」（２８頁）
　
　ス．「待受画面を変更する：サブ
　背面だからこそ厳選して！
　メインのディスプレイ同様、サブディスプレイの待受画像もカンタンに変更可能。もちろん、自分で撮影した写真や、ダウンロードしたイラストなどに変えることもできる。ケータイが人目につくのは閉じた状態の時が多いだけに、ここもオシャレに！」（２８頁）
　
　セ．「待受画面をダウンロードする
　好きな画像を待受画面に設定しよう
　インターネットやケータイ専用サイトに星の数ほど用意されている画像。好きなアイドルの写真を下敷に入れるような感覚で、ネットで見つけた好みの画像をダウンロードし、待受画像を飾ってみよう。内蔵の待受画面に上書きする必要があるので、どの画像なら上書きしてもいいのかあらかじめ決めておくとスムーズに進む。」（２９頁右欄）
　
　引用例２の摘記事項サ〜セ及び関連する図面には、技術常識を考慮すると、
　「携帯電話のメインディスプレイ及びサブディスプレイに表示される待受画面の画像をダウンロードにより取得すること」
の発明（以下、「引用発明２ａ」という。）が開示されている。
　
　引用例２の摘記事項ク〜コ及び関連する図面には、技術常識を考慮すると、
　「ｉアプリを実行することにより携帯電話のメインディスプレイとサブディスプレイとに表示を行うこと」
の発明（以下、「引用発明２ｂ」という。が開示されている。
　
４．対比
　本願発明と引用発明１とを対比する。
　引用発明１の「キーボード１１」、「従来型のカバー６」、「ディスプレイ９」、「電子インクを用いたカバー１」、「無線通信装置７」は、本願発明の「操作手段」、「外壁部を構成するケーシング」、「給電画像表示手段」、「無給電画像表示手段」、「移動体通信端末」にそれぞれ相当する。
　引用発明１の「表面模様情報」は、「画像データ」の一種であり、「無給電画像表示手段」に表示される点で、本願発明の「第２画像データ」に一致している。
　引用発明１の「サービス・プロバイダのデータ・プロセッサから、上記カバーに表示される表面模様情報を取得し、該表面模様情報を記憶手段に保存する手段」は、「第２画像データ」を取得し、記憶手段に保存するものであるから、「画像データ取得保存手段」であるといえる。
　引用発明１の「該表面模様情報に基づく模様を電子インクを用いたカバー１に表示する制御を行う手段」は、「第２画像データに基づく画像を無給電画像表示手段に表示する制御を行う制御手段」であるといえる。
　　
　したがって、本願発明と引用発明１とは、
「操作手段と、
　外壁部を構成するケーシングと、
　画像データを記憶する記憶手段と、
　該ケーシングにおける外部に露出した部分の一部に、画像の表示状態を無給電状態では維持不可能な給電画像表示手段とを備えた移動体通信端末において、
　上記記憶手段に記憶された画像データに基づく画像の表示状態を無給電状態でも維持可能な無給電画像表示手段を、上記ケーシングにおける外部に露出した部分であって上記給電画像表示手段の周囲に備え、
　上記無給電画像表示手段に表示される画像の第２画像データを取得し、該第２画像データを該記憶手段に保存する画像データ取得保存手段を有し、
　該記憶手段から第２画像データを読み出し、該第２画像データに基づく画像を該無給電画像表示手段に表示する制御を行う制御手段を有する移動体通信端末。」
である点で一致し、以下の点で相違している。
　　
［相違点１］
　本願発明は、「給電画像表示手段に表示される画像の第１画像データを外部記憶媒体から取得する」ものであるのに対して、引用発明１では、給電画像表示手段に表示される画像について言及されていない点。
［相違点２］
　第２画像データの取得について、本願発明は、「該第１画像データを取得する際に該外部記憶媒体又は他の外部記憶媒体から、該第１画像データに関連付けられた、上記無給電画像表示手段に表示される画像の第２画像データを取得」するのに対し、引用発明１は、サービスプロバイダのデータ・プロセッサから取得するものである点。
［相違点３］
　第２画像データの記憶手段への保存について、本願発明は、「該第２画像データを上記第１画像データに関連付けられた状態で該記憶手段に保存する」のに対して、引用発明１は、第１画像データについて言及されていない点。
［相違点４］
　「該記憶手段から第２画像データを読み出し、該第２画像データに基づく画像を該無給電画像表示手段に表示する制御」について、本願発明は、「上記操作手段が第１画像データに基づく画像の表示指示操作を受け付けたとき、該第１画像データに基づく画像を上記給電画像表示手段に表示させるとともに、該記憶手段から該第１画像データに関連付けられた第２画像データを読み出し、該第２画像データに基づく画像を該無給電画像表示手段に表示する制御を行う」のに対して、引用発明１では、「操作手段を操作することにより、所望の第２画像データを選択し、該記憶手段から第２画像データを読み出し、該第２画像データに基づく画像を無給電画像表示手段に表示する制御を行う」ものである点。
　
５．当審の判断
　まず、相違点１について検討する。
　引用発明２ａの「携帯電話のメインディスプレイ及びサブディスプレイ」、「待受画面」、「画像」は、「移動体通信端末の２つの画像表示手段」、「表示される画像」、「画像データ」と表現することができる。また、ダウンロード用のデータは、外部記憶媒体に記憶されることは技術常識であるから、引用発明２ａの「ダウンロードにより取得する」ことは、「外部記憶媒体から取得する」ことと実質的に一致している。
　したがって、引用発明２ａは、「移動体通信端末の２つの画像表示手段に表示される画像の２つの画像データを外部記憶媒体から取得すること」と表現できる。
　引用発明２ａを引用発明１に適用することにより、相違点１に係る構成とすることは、当業者にとって容易なことである。
　
　次に、相違点２及び３について検討する。
　引用発明２ｂは、ｉアプリを実行することにより携帯電話機のメインディスプレイとサブディスプレイとに表示を行うものであるが、２つのディスプレイの表示は、特定のｉアプリの実行によるものであるから、関連付けられたものであるということができる。したがって、引用発明２ｂは、「移動体通信端末の２つの画像表示手段に関連付けられた表示を行うこと」と表現することができる。
　第１画像データと第２画像データとを外部記録媒体から取得する場合に、第１画像データと第２画像データとを関連付けるようにすることは、引用例２ｂを考慮すれば格別なものとは認められず、また、取得した第１画像データと第２画像データとを記憶手段に保存する場合に、関連付けられた状態で保存することにも困難性は認められない。
　したがって、相違点２及び３に係る構成を採用することは、当業者にとって容易なことである。
　
　次に、相違点４について検討する。
　操作手段による表示指示操作を受け付けたときに表示手段に待受画像等の画像を表示させることは、携帯電話等の移動体通信端末における常套手段である。
　そして、関連付けられた２つの画像データは、対応する２つの画像表示手段に表示されるものであり、操作手段による表示指示操作を受け付けたときに、記憶手段から２つの画像データを読み出して、対応する２つの画像表示手段に表示するように制御することは、当業者が当然に採用する事項であり、相違点４に係る構成を採用することに困難性は認められない。
　　
　そして、本願発明の作用効果も、引用発明１、引用発明２ａ及び引用発明２ｂから当業者が予測できる範囲のものである。
　　　
６．むすび
　以上のとおり、本願発明は、引用発明１、引用発明２ａ及び引用発明２ｂに基づいて、当業者が容易に発明をすることができたものであるから、特許法第２９条第２項の規定により特許を受けることができない。
　よって、結論のとおり審決する。